(57)【要約】【課題】本発明の目的は、ラップフィルムを所定の長さに引き出して切断した後、フィルム端の包装容器の内部への巻き戻しをより確実に防止する包装容器を提供することである。【解決手段】本発明に係る包装容器１００は、自己密着性を有するラップフィルム１がロール状に巻回されたフィルムロール４０を収容する、上面が開口した容器本体１０と、本体後面板１３の上端辺に回動可能に連接される蓋体２０と、フィルムロールから繰り出され、本体前面板と蓋前面板２２との間から引き出されたラップフィルムを切断する蓋前面板に設けられた切断手段３０と、を備える包装容器において、蓋前面板には、蓋前面板の表面よりも本体前面板側に隆起した蓋エンボス部７０が設けられ、本体前面板のうち、蓋エンボス部と当接する領域には、切断後のフィルムロール側のラップフィルム端を保持するフィルム保持部５０が設けられている。【選択図】図１
2012081978.tif 000002
【特許請求の範囲】
【請求項１】
矩形の本体底面板と、該本体底面板の長辺に立設された本体前面板及び本体後面板と、前記本体底面板の短辺に立設された本体左側面板及び本体右側面板と、を有し、自己密着性を有するラップフィルムがロール状に巻回されたフィルムロールを収容する、上面が開口した容器本体と、
前記本体後面板の上端辺に回動可能に連接され、前記容器本体の上面開口部を閉鎖時に、該上面開口部を覆う天面板と、該天面板に連接され、前記本体前面板の外側に重ねて配置される蓋前面板と、を有する蓋体と、
前記フィルムロールから繰り出され、前記本体前面板と前記蓋前面板との間から引き出されたラップフィルムを切断する前記蓋前面板に設けられた切断手段と、
を備える包装容器において、
前記蓋前面板には、該蓋前面板の表面よりも前記本体前面板側に隆起した蓋エンボス部が設けられ、
前記本体前面板のうち、前記蓋エンボス部と当接する領域には、切断後のフィルムロール側のラップフィルム端を保持するフィルム保持部が設けられていることを特徴とする包装容器。
【請求項２】
前記フィルム保持部の最表層が、自己密着性フィルム層であることを特徴とする請求項１に記載の包装容器。
【請求項３】
前記フィルム保持部は、前記容器本体側から順に配置された、粘着剤層、基材層、接着剤層及び自己密着性フィルム層の積層構造を有することを特徴とする請求項１又は２に記載の包装容器。
【請求項４】
前記蓋エンボス部の底面には、前記本体前面板とは反対側に隆起した少なくとも１個の滑り止め突起が設けられていることを特徴とする請求項１〜３のいずれか一つに記載の包装容器。
【請求項５】
前記蓋前面板のうち、前記フィルム保持部と当接しない領域には、前記フィルムロールの軸方向と交差する方向に延びる少なくとも１本のリブ部が設けられていることを特徴とする請求項１〜４のいずれか一つに記載の包装容器。
【発明の詳細な説明】
【技術分野】
【０００１】
本発明は、ロール状に巻回されたラップフィルムを収容する包装容器に関し、特に、ラップフィルムを所定の長さに引き出して切断した後、フィルム端の包装容器の内部への巻き戻しを安定的に防止する包装容器に関する。
【背景技術】
【０００２】
ラップフィルムを収容する包装容器は、通常、円筒状の紙管にロール状に巻回されたフィルムロールを収容する容器本体と、該容器本体と一体に設けられた蓋体と、該蓋体の下端に設けられた切断手段と、から構成される。使用者は、蓋体を開けて、容器からラップフィルムを所定の長さだけを引き出した後、蓋体を閉じ、蓋前面板を一方の手の親指で押さえ付けてラップフィルムを固定しつつ、引き出されたラップフィルムを他方の手で引っ張ることで、ラップフィルムを切断する。
【０００３】
ラップフィルムを切断するにあたり、使用者が一方の手の親指で蓋体の前面板を押さえ付けてラップフィルムを本体前面板と蓋前面板との間で挟持して固定した状態で行わなければ、ラップフィルムを所定の長さで切断することができない他、ラップフィルムの容器内への巻き戻りが生じるなどの不具合が発生していた。そこで、使用者が、ラップフィルムを確実に固定できるようにする手段が提案されている。
【０００４】
例えば、本出願人は、蓋前面板に親指の先端部を受け入れる凹部を設けることで、使用者の包装容器の握り方を矯正することができる包装用容器を提案している（例えば、特許文献１を参照。）。また、蓋前面板に押え板を取り付けることで、親指で押さえる位置を広くして、使用者が親指の位置に神経を使う必要がない容器が提案されている（例えば、特許文献２を参照。）。
【先行技術文献】
【特許文献】
【０００５】
【特許文献１】特開平９−２０２３２４号公報
【特許文献２】特開２００３−１６０１４１号公報
【発明の概要】
【発明が解決しようとする課題】
【０００６】
しかし、特許文献１及び特許文献２に開示された技術は、切断後のフィルム端の保持が十分でなく、フィルム端の包装容器の内部への巻き戻しを防止する技術ではない。
【０００７】
本発明は、上記問題を解決するためになされたものである。すなわち、本発明の目的は、ラップフィルムを所定の長さに引き出して切断した後、フィルム端の包装容器の内部への巻き戻しをより確実に防止する包装容器を提供することである。
【課題を解決するための手段】
【０００８】
本発明に係る包装容器は、矩形の本体底面板と、該本体底面板の長辺に立設された本体前面板及び本体後面板と、前記本体底面板の短辺に立設された本体左側面板及び本体右側面板と、を有し、自己密着性を有するラップフィルムがロール状に巻回されたフィルムロールを収容する、上面が開口した容器本体と、前記本体後面板の上端辺に回動可能に連接され、前記容器本体の上面開口部を閉鎖時に、該上面開口部を覆う天面板と、該天面板に連接され、前記本体前面板の外側に重ねて配置される蓋前面板と、を有する蓋体と、前記フィルムロールから繰り出され、前記本体前面板と前記蓋前面板との間から引き出されたラップフィルムを切断する前記蓋前面板に設けられた切断手段と、を備える包装容器において、前記蓋前面板には、該蓋前面板の表面よりも前記本体前面板側に隆起した蓋エンボス部が設けられ、前記本体前面板のうち、前記蓋エンボス部と当接する領域には、切断後のフィルムロール側のラップフィルム端を保持するフィルム保持部が設けられていることを特徴とする。
【０００９】
本発明に係る包装容器では、前記フィルム保持部の最表層が、自己密着性フィルム層であることが好ましい。フィルム保持部を容易に、かつ、安定的に形成することができる。
【００１０】
本発明に係る包装容器では、前記フィルム保持部は、前記容器本体側から順に配置された、粘着剤層、基材層、接着剤層及び自己密着性フィルム層の積層構造を有することが好ましい。フィルム保持部を容易に、かつ、安定的に形成することができる。
【００１１】
本発明に係る包装容器では、前記蓋エンボス部の底面には、前記本体前面板とは反対側に隆起した少なくとも１個の滑り止め突起が設けられていることが好ましい。指が滑るのを防止して、例えば、水などで手が滑りやすい状態であっても、フィルム保持部にフィルム端をより確実に押さえ付けることができる。また、使用者が親指で押さえるべき位置を視覚及び触覚によって確認することができる。
【００１２】
本発明に係る包装容器では、前記蓋前面板のうち、前記フィルム保持部と当接しない領域には、前記フィルムロールの軸方向と交差する方向に延びる少なくとも１本のリブ部が設けられていることが好ましい。繰り返し切断することによって徐々に生じる蓋体の変形を抑制することができる。
【発明の効果】
【００１３】
本発明は、ラップフィルムを所定の長さに引き出して切断した後、フィルム端の包装容器の内部への巻き戻しをより確実に防止する包装容器を提供することができる。また、蓋エンボス部に指をかけることで、蓋体の開閉を容易に行うことができる。
【図面の簡単な説明】
【００１４】
【図１】本実施形態に係る包装容器の一例を示す斜視図である。
【図２】フィルム保持部の一例を示す積層断面図である。
【図３】蓋エンボス部とフィルム保持部との位置関係を説明するための図であり、（ａ１）及び（ｂ１）は破断面図であり、（ａ２）は蓋エンボス部とフィルム保持部とが全て重なっている形態の正面図、（ａ３）及び（ｂ１）〜（ｂ３）は蓋エンボス部とフィルム保持部とが一部当接する領域を有する形態の正面図である。
【図４】滑り止め突起が設けられた蓋エンボス部を説明する図であり、（ａ１）及び（ｂ１）は正面図であり、（ａ２）及び（ｂ２）は破断面図である。
【図５】本実施形態に係る包装容器の蓋体を閉じた状態の蓋エンボス部を通る破断面図である。
【図６】本実施形態に係る包装容器の別の例を示す斜視図である。
【図７】図６のＧ‐Ｇ破断面図の形態例であり、（ａ）はリブ部がエンボス加工によるものあり、かつ、本体前面板と反対側に隆起した形態、（ｂ）はリブ部がエンボス加工によるものであり、かつ、本体前面板側に隆起した形態、（ｃ）はリブ部が別部材を取り付けたものであり、かつ、本体前面板と反対側に隆起した形態、（ｄ）はリブ部が別部材を取り付けたものであり、かつ、本体前面板側に隆起した形態である。
【発明を実施するための形態】
【００１５】
次に、本発明について実施形態を示して詳細に説明するが、本発明はこれらの記載に限定して解釈されない。本発明の効果を奏する限り、実施形態は種々の変形をしてもよい。
【００１６】
図１は、本実施形態に係る包装容器の一例を示す斜視図である。本実施形態に係る包装容器１００は、矩形の本体底面板１１と、本体底面板１１の長辺に立設された本体前面板１２及び本体後面板１３と、本体底面板１１の短辺に立設された本体左側面板１４及び本体右側面板１５と、を有し、自己密着性を有するラップフィルム１がロール状に巻回されたフィルムロール４０を収容する、上面が開口した容器本体１０と、本体後面板１３の上端辺に回動可能に連接され、容器本体１０の上面開口部１６を閉鎖時に、上面開口部１６を覆う天面板２１と、天面板２１に連接され、本体前面板１２の外側に重ねて配置される蓋前面板２２と、を有する蓋体２０と、フィルムロール４０から繰り出され、本体前面板１２と蓋前面板２２との間から引き出されたラップフィルム１を切断する蓋前面板２２に設けられた切断手段３０と、を備える包装容器において、蓋前面板２２には、蓋前面板２２の表面よりも本体前面板１２側に隆起した蓋エンボス部７０が設けられ、本体前面板１２のうち、蓋エンボス部７０と当接する領域には、切断後のフィルムロール４０側のラップフィルム端を保持するフィルム保持部５０が設けられている。
【００１７】
図１に示す包装容器１００は、厚紙、プラスチックなどの板材で形成されている。板材の厚さは、特に限定されないが、一般に０．４５〜０．７０ｍｍである。容器本体１０は、矩形の本体底面板１１の各辺に立設された本体前面板１２、本体後面板１３、本体左側面板１４及び本体右側面板１５によって形成された上面開口部１６を有する横長の略直方体形状の箱である。蓋体２０は、本体後面板１３の上端辺に回動可能に一体に設けられ、容器本体１０の上面開口部１６を覆うことができるようになっている。上面開口部１６を閉鎖時には、天面板２１が上面開口部１６を覆い、蓋前面板２２が本体前面板１２の外側に重ねて配置され、蓋左側面板２４及び蓋右側面板２５が、それぞれ本体左側面板１４及び本体右側面板１５の外側に重ねて配置される。本体前面板１２のうち、蓋エンボス部７０と当接する領域は、平坦面であり、フィルム保持部５０が設けられている。
【００１８】
切断手段３０は、蓋前面板２２の裏面（容器本体側表面）に取り付けられ、蓋前面板２２の下端辺に設けられている。切断手段３０の材質及び形状は特に限定されないが、厚紙、プラスチック、金属などで形成された鋸刃状の切断刃である。図１に示す包装容器１００では、蓋前面板２２では、その下端辺が、包装容器１００の幅方向（以降、包装容器１００の幅方向とは、図１のＷ‐Ｗ´方向である。）の中央部が最も凸となる全体が略Ｖ字形状に形成されており、切断手段３０もこの形状に合わせて略Ｖ字形状に形成されている。なお、本実施形態では、図１に示すような蓋前面板２２及び切断手段３０が略Ｖ字形状である形態に限定されない。例えば、蓋前面板２２の下端辺及び切断手段３０を直線形状、略Ｕ字形状とすることができる。
【００１９】
ラップフィルム１の材質は、自己密着性を有する樹脂又は樹脂組成物である。フィルムロール４０は、自己密着性を有する樹脂又は樹脂組成物を単層又は積層シート状に成形してラップフィルム１を形成し、所定の長さのラップフィルム１をロール状に巻回してなる。樹脂は、例えば、ポリ塩化ビニリデン、ポリ塩化ビニル、ポリエチレン、ポリプロピレン、ポリメチルペンテン、ポリエステル、エチレン酢酸ビニル共重合体などの熱可塑性樹脂である。樹脂組成物は、熱可塑性樹脂に、可塑剤を配合したものである。可塑剤は、例えば、脂肪族多価塩基酸エステル、脂肪族多価アルコールエステル、オキシ酸エステルである。本実施形態では、ラップフィルムの材質は、ポリ塩化ビニリデンに可塑剤を配合したものがより好ましい。本実施形態では、ラップフィルムの厚さは、特に限定されないが、一般に、５〜２０μｍである。
【００２０】
蓋エンボス部７０は、使用者が親指を当てる位置である。蓋エンボス部７０は、図１に示すように、包装容器１００を蓋前面板１２側から見ると、僅かに窪んでいるため、使用者は、親指を当てる位置を視覚で認識でき、更に、触覚で検知することができる。また、蓋エンボス部に指をかけることで、蓋体２０の開閉を容易に行うことができる。
【００２１】
蓋エンボス部７０の形状は、特に限定されず、図１に示すように包装容器１００の幅方向に沿って長辺を有する矩形とする他に、正方形、円形、親指に合わせた形状などの変形態様としてもよい。蓋エンボス部７０の底面は、本体前面板１２に設けたフィルム保持部５０との接触面積を多くできる点で、平面であることが好ましい。
【００２２】
フィルム保持部５０は、ラップフィルム１を蓋エンボス部７０で押さえ付けることによって、ラップフィルム１を保持できれば、特に限定されず、例えば、粘着性のあるニスを塗布することや、平滑性のあるニスを塗布することでフィルム保持部を形成することができる。また、本実施形態に係る包装容器では、フィルム保持部５０の最表層が自己密着性フィルム層であることがより好ましい。フィルム保持部の最表層を自己密着性フィルム層とすることで、使用の継続に伴うチリ、ほこりなどが付着して、フィルム保持力が低下することがなく、安定的、かつ、持続的なフィルム保持力を発揮することができる。
【００２３】
自己密着性フィルム層は、本実施形態に係る包装容器に収容されるラップフィルム１の材質として例示した自己密着性を有する樹脂又は樹脂組成物である。より好ましくは、包装容器に収容されるラップフィルム１と同素材とする。自己密着性フィルム層の厚さは、ラップフィルムに対する密着保持力を発揮させるという目的からは、広い範囲から選択可能であるが、ラップフィルム１自体を用いることが経済的に好ましく、一般に５〜２０μｍの厚さである。このようにラップフィルム１は、非常に薄肉であり、更には、可撓性に富むため、ラップフィルム１を単体で本体前面板１２の表面に取り付ける作業は、極めて困難であり、波打ち、端部のめくれ上がりなどのトラブルが起こりがちである。それ故、安定なフィルム保持力を有するフィルム保持部５０の形成が困難である。本出願人は、特許文献２において、自己密着性フィルムを接着剤層及び基材層を含むラベル構造とすることで、容易に、かつ、安定的にフィルム保持部を形成できることを見出した。
【００２４】
図２は、フィルム保持部の一例を示す積層断面図である。本実施形態に係る包装容器では、フィルム保持部５０は、容器本体側から順に配置された、粘着剤層５４、基材層５３、接着剤層５２及び自己密着性フィルム層５１の積層構造を有することが好ましい。積層構造の総厚は、４０〜３５０μｍであることが好ましい。より好ましくは、７５〜１０５μｍである。
【００２５】
粘着剤層５４を構成する粘着剤（感圧接着剤）は、一般にラベル形成用に用いられる粘着剤を使用できる。このような粘着剤には、主剤としてゴム系、ポリウレタン系、アクリル樹脂系などの粘弾性ポリマーを用い、前記主剤にロジン系、石油樹脂などの粘着付与樹脂を配合した粘着剤が広く用いられる。粘着剤層５４の厚さは、例えば、１０〜１００μｍ程度である。本実施形態は、粘着剤層５４の材質及び厚さに制限されない。
【００２６】
基材層５３は、フィルム保持部５０の剛性を支配するものである。基材層５３は、一般にラベル基材として用いられる紙又はプラスチックフィルムからなり、かつ、自己密着性フィルムよりも剛性の大なるものを使用することができる。基材層５３の厚さは、例えば、２５〜２００μｍ程度である。本実施形態は、基材層５３の材質及び厚さに制限されない。
【００２７】
接着剤層５２を構成する接着剤は、例えば、アクリル樹脂系、酢酸ビニル系、エポキシ系、合成ゴム系などの主剤を酢酸エチル、アセトンなどの有機溶媒に溶解した溶剤型の接着剤、無溶剤型の接着剤又は水性エマルジョン型の接着剤である。中でも生産性に優れ、廃溶剤の処理が不要な、水系エマルジョン型の接着剤又は紫外線硬化型アクリル系樹脂を主剤とする無溶剤型の接着剤が好適に用いられる。接着剤層５２の厚さは、５〜５０μｍ程度が適当である。本実施形態は、接着剤層５２の材質及び厚さに制限されない。
【００２８】
さらに、基材層５３の上面にフィルム保持部５０であることを示す検知マークなどの印刷層５６を設けることが好ましい。
【００２９】
フィルム保持部５０の形状は、特に限定されず、図１に示すように包装容器１００の幅方向に沿って長辺を有する矩形とする他に、正方形、円形などの変形態様としてもよい。
【００３０】
図３は、蓋エンボス部とフィルム保持部との位置関係を説明するための図である。フィルム保持部５０は、本体前面板１２のうち、蓋エンボス部７０と当接する領域に設けられる。当接する領域に設けられる形態例としては、例えば、図３（ａ１）に示すように、蓋エンボス部７０とフィルム保持部５０とが包装容器１００の高さ方向（以降、包装容器１００の高さ方向とは、図１のＨ‐Ｈ´方向である。）において一致している形態、図３（ｂ１）に示すように、蓋エンボス部７０とフィルム保持部５０とが包装容器１００の高さ方向において上下にずれている形態である。
【００３１】
図３（ａ１）に示した包装容器１００の高さ方向が一致している形態について、更に正面視での形態例を、図３（ａ２）及び図３（ａ３）に示す。図３（ａ２）は、蓋エンボス部７０とフィルム保持部５０とが包装容器１００の幅方向においても一致して、完全に重なっている状態である。図３（ａ３）は、フィルム保持部５０が蓋エンボス部７０に対して、包装容器１００の幅方向において左にずれている形態である。図３（ａ２）のＡ‐Ａ破断面図及び図３（ａ３）のＢ‐Ｂ破断面図はいずれも、図３（ａ１）に示すように包装容器１００の高さ方向が一致している。なお、図３（ａ３）では、フィルム保持部５０が蓋エンボス部７０に対して左方向にずれている形態を示したが、フィルム保持部５０が蓋エンボス部７０に対して右方向にずれている形態としてもよい。
【００３２】
図３（ｂ１）に示した包装容器１００の高さ方向が上下にずれている形態について、更に正面視での形態例を、図３（ｂ２）及び図３（ｂ３）に示す。図３（ｂ２）は、蓋エンボス部７０とフィルム保持部５０とが包装容器１００の幅方向において一致している形態である。図３（ｂ３）は、フィルム保持部５０が蓋エンボス部７０に対して包装容器１００の幅方向において左にずれている形態である。図３（ｂ２）Ｃ‐Ｃ破断面図及び図３（ｂ３）Ｄ‐Ｄ破断面図はいずれも、図３（ｂ１）に示すように包装容器１００の高さ方向が上下にずれている。なお、図３（ｂ３）では、フィルム保持部５０が蓋エンボス部７０に対して左方向にずれている形態を示したが、フィルム保持部５０が蓋エンボス部７０に対して右方向にずれている形態としてもよい。また、図３（ｂ２）及び図３（ｂ３）では、フィルム保持部５０が蓋エンボス部７０に対して上にずれている形態を示したが。フィルム保持部５０が蓋エンボス部７０に対して下にずれている形態としてもよい。
【００３３】
蓋エンボス部７０とフィルム保持部５０とが当接する領域は、蓋エンボス部７０の底面の面積に対して、２０％以上であることが好ましい。より好ましくは、５０％以上であり、特に好ましくは１００％である。２０％未満では、フィルム端をフィルム保持部５０へ効率的に密着させる効果が得られない場合がある。
【００３４】
蓋エンボス部７０及びフィルム保持部５０を設ける位置は、図１に示すように、本体前面板１２のうち、包装容器１００の幅方向の中央部に設けることが好ましい。また、図１の包装容器１００では、蓋エンボス部７０及びフィルム保持部５０を１個ずつ設けているが、複数個設けてもよい。
【００３５】
図１及び図３では、蓋エンボス部７０とフィルム保持部５０とを同形状及び同寸法としたが、本発明の効果を損なわない限り、変形可能である。例えば、フィルム保持部５０を蓋エンボス部７０よりも小さくする形態、フィルム保持部５０を蓋エンボス部７０よりも大きくする形態、フィルム保持部５０と蓋エンボス部７０との形状を異なる形状にする形態である。
【００３６】
図４は、滑り止め突起が設けられた蓋エンボス部を説明する図である。本実施形態に係る包装容器では、蓋エンボス部７０の底面には、本体前面板１２とは反対側に隆起した少なくとも１個の滑り止め突起８０が設けられていることが好ましい。例えば、水などで手が滑りやすい状態であっても、指が滑るのを防止して、フィルム保持部５０にフィルム端をより確実に押さえ付けることができる。また、使用者が親指で押さえるべき位置を視覚及び触覚によって更に確認しやすくなる。
【００３７】
図４（ａ１）は、滑り止め突起８０を蓋エンボス部７０の底面に４列２行の８個設けた形態を示す正面図である。図４（ａ２）は、図４（ａ１）のＥ‐Ｅ破断面図である。図４（ａ２）に示すように、滑り止め突起８０は、本体前面板１２とは反対側に隆起しており、包装容器を正面から見ると、僅かに凸になっている。
【００３８】
滑り止め突起８０は、蓋エンボス部７０の底面の他、蓋前面板２２のうち、蓋エンボス部７０の近傍に設けることができる。図４（ｂ１）は、滑り止め突起８０を、蓋エンボス部７０の底面に４列２行の８個設け、更に、蓋エンボス部７０の近傍にも４列２行の８個設けた形態を示す正面図である。図４（ｂ２）は、図４（ｂ１）のＦ‐Ｆ破断面図である。なお、本実施形態では、滑り止め突起８０の配列及び隣接する滑り止め突起８０同士の間隔は、蓋エンボス部７０の形状及び面積、包装容器の意匠性などの各条件に応じて、適宜選択可能である。
【００３９】
滑り止め突起８０を、蓋エンボス部７０のうち、フィルム保持部５０と当接する領域に設けると、フィルム保持部５０を視覚及び触覚によって確認しやすくなり、作業者が滑り止め突起８０上に親指を当てることによって、フィルム保持部５０にフィルム端をより確実に押さえ付けることができる点で好ましい。ただし、滑り止め突起８０の総面積は、蓋エンボス部７０とフィルム保持部５０とが当接する領域の面積に対して、４０％以下とすることが好ましい。より好ましくは、２０％以下、特に好ましくは、１５％以下である。４０％を超えると、蓋エンボス部７０とフィルム保持部５０との接触面積が少なくなり、フィルムをフィルム保持部５０に密着させる力が弱くなる場合がある。
【００４０】
図４では、滑り止め突起８０の形状を円形としたが、本発明の効果を損なわない限り、変形可能である。例えば、三角形、矩形である。
【００４１】
包装容器１００は、図１に示すように横長の直方体形状であるが、一般に平面状の板材を打ち抜いて、展開図の切り抜き及び折り罫線の形成を行う打抜工程、打抜工程で得られたブランクシートを折曲げて箱を形成する製函工程を経て形成される。したがって、蓋エンボス部７０は、打抜工程と同時に、押し型を使用してプレス加工（エンボス加工）することによって形成するか、又は打抜工程前後で、エンボス加工工程を設けて形成することができる。蓋エンボス部７０の深さは、０．０５〜０．４０ｍｍとすることが好ましい。より好ましくは、０．１０〜０．３０ｍｍである。０．０５ｍｍ未満では、蓋エンボス部７０を設ける効果が得られない場合がある。０．４０ｍｍを超えると、蓋前面板２２と蓋エンボス部７０との段差が大きすぎて、容器本体１０の上面開口部１６を閉鎖時に、本体前面板１２又は蓋エンボス部７０が変形するおそれがある。また、エンボス加工時の伸びに追従できず基材が割れたり、切れたりする場合がある。
【００４２】
フィルム保持部５０の形成は、打抜工程前後の平面状の板材又はブランクシートに対して行うことができる。本実施形態はフィルム保持部５０の形成方法に制限されない。例えば、フィルム保持部５０の最表層を粘着層とする場合には、打抜工程前後の平面状の板材又はブランクシートのうち、蓋エンボス部７０と当接予定の領域に、粘着剤を塗布することでフィルム保持部５０を形成することができる。また、フィルム保持部５０を図２に示すような積層体をする場合には、フィルム保持部５０は、粘着剤層５４の基材層５３を設けた面とは反対面上にセパレータ（不図示）が設けられたフィルム保持部形成用ラベル構造体からセパレータを剥離しつつ貼り付けることができる公知のラベル貼付装置を用いて、連続的に貼り付けることができる。このようにして形成することによって、フィルム保持部５０を容易に、かつ、安定的に形成することができる。セパレータは、一般に基材層５３よりも更に剛性が大で（すなわち腰が強く）、厚さが大なる紙又はプラスチックフィルムからなる。粘着剤層５４との界面に、必要に応じてシリコーン樹脂などの離型剤を塗布することにより、剥離性を有するものが好適に用いられるが、粘着剤層５４からの剥離が容易な限り、その剛性、厚さの設定は基本的には任意である。
【００４３】
滑り止め突起８０は、蓋エンボス部７０と同様に、打抜工程と同時に又は打抜工程の前後にエンボス加工することで形成することができる。滑り止め突起８０の直径は、１．０〜５．０ｍｍとすることが好ましい。より好ましくは、１．５〜３．０ｍｍである。滑り止め突起８０の突出量は、０．０５〜０．４０ｍｍとすることが好ましい。より好ましくは、０．１０〜０．３０ｍｍである。０．０５ｍｍ未満では、滑り止め突起８０を設ける効果が得られない場合がある。０．４０ｍｍを超えると、エンボス加工時の伸びに追従できず基材が割れたり、切れたりする場合がある。
【００４４】
次に、本実施形態に係る包装容器の蓋エンボス部７０及びフィルム保持部５０の関係について説明する。図５は、本実施形態に係る包装容器の蓋体を閉じた状態の蓋エンボス部を通る破断面図である。図５に示すように、容器本体１０内のフィルムロール４０から引き出されたラップフィルム１は、上面開口部１６から本体前面板１２と蓋前面板２２との間を経て包装容器１００の外部に導かれる。使用者は、まず、所望の長さのラップフィルム１を引き出して、食品、食器などの被包装物上にほぼ水平状態で広げる。そして、一方の手で包装容器１００を把持し、親指を蓋エンボス部７０に当てて、本体前面板１２の方向に押さえ付ける。他方の手で、ラップフィルム１をβ方向へ引き、包装容器１００を把持した手で容器をα方向に捻る。この動作によって、切断手段３０でラップフィルム１が切断される。切断されたラップフィルム１で被包装物の包装を行う。
【００４５】
本実施形態では、蓋エンボス部７０が本体前面板１２側に隆起し、かつ、フィルム保持部５０が蓋エンボス部７０と当接する領域を有するため、蓋エンボス部７０を指で軽く押すと、ラップフィルム１を蓋エンボス部７０とフィルム保持部５０との間で挟持して固定する状態となり、ラップフィルム１を所定の長さで切断することができる。切断後には、フィルムロール４０側のフィルム端はフィルム保持部５０に保持されているので、安定的、かつ、より確実にフィルムの巻き戻りを防止することができる。また、使用者は、蓋エンボス部７０の窪みを視覚及び触覚によって容易に確認することができ、フィルム保持部５０にラップフィルム１を確実に接触させることができる。
【００４６】
図６は、本実施形態に係る包装容器の別の例を示す斜視図である。本実施形態に係る包装容器１０１では、蓋前面板２２のうち、フィルム保持部５０と当接しない領域には、フィルムロール４０の軸方向（Ｘ方向）と交差する方向（Ｙ方向）に延びる少なくとも１本のリブ部９０が設けられていることが好ましい。
【００４７】
ラップフィルムを切断する時には、蓋前面板２２は、図５の２点鎖線で示すように、ラップフィルム１を引っ張る方向（図５のβ方向）に引っ張られて変形する。切断を繰り返した結果、蓋前面板２２の変形が元に戻らなくなると、ラップフィルム１を切断しにくくなる場合がある。そこで、リブ部９０を設け、蓋前面板２２を補強することで、変形を抑制することができる。
【００４８】
リブ部９０は、フィルムロール４０の軸方向（Ｘ方向）と蓋前面板２２上において交差する方向（Ｙ方向）に延びる。Ｘ方向とＹ方向とのなす角度をθとすると、θが１５〜１６５°であることが好ましい。より好ましくは、θが４５〜１３５°である。特に好ましくは、θが６５〜１１５°である。図６では、θがすべて９０°である形態を示したが、リブ部９０は、蓋前面板２２上にてロール４０の軸方向Ｘにおける中心を通る直線（以降、中心線という。）Ｃで分割される蓋前面板２２の左右の各領域で、中心線Ｃを対称軸として線対称となるようにθを変化させることが好ましい。具体的には、例えば、中心線Ｃよりも左側（図６のＷ方向側）の領域では、いずれのリブ部についてもθを１１５°とし、中心線Ｃよりも右側（図６のＷ´方向側）の領域では、いずれのリブ部についてもθを６５°とする形態である。
【００４９】
本実施形態では、少なくとも１本のリブ部９０の長さが、フィルムロール４０の軸方向（Ｘ方向）と直交する方向における蓋前面板２２の長さに対して５０〜１００％であることが好ましい。より好ましくは、７０〜１００％である。特に好ましくは、９０〜１００％である。この範囲とすることで、蓋前面板２２を補強するというリブ部９０を設ける効果を存分に発揮することができる。ここで、リブ部９０の長さとは、リブ部９０の下端ｓから上端ｔまでの直線距離をａとしたとき、ａｓｉｎθで表される距離である。例えば、図６に示すように、θが９０°である場合には、リブ部９０の長さはａである（ａｓｉｎ９０°＝ａ）。また、θが６０°である場合には、リブ部９０の長さは√３ａ／２である（ａｓｉｎ６０°＝√３ａ／２）。
【００５０】
リブ部９０を設けることで、蓋前面板２２を補強することができるが、リブ部９０は、蓋エンボス部７０を中心とする包装容器１０１の幅方向（図６のＷ‐Ｗ´方向）に２ｃｍ拡げた領域Ｐ内に設けることが好ましい。より好ましくは、１ｃｍ拡げた領域内に設ける。さらに、リブ部９０は、蓋エンボス部７０の両脇のいずれかに１本設けることが好ましく、より好ましくは、蓋エンボス部７０の両脇に１本ずつ設けることが好ましい。図６は、前記領域Ｐ内において、蓋エンボス部７０の両脇に１本ずつリブ部９０を設けた形態である。蓋エンボス部７０には、応力が集中するため、その周辺の蓋前面板２２は、特に変形し易いところ、蓋エンボス部７０の近傍にリブ部９０を設けることで、蓋前面板２２の変形を抑制することができる。なお、本実施形態では、リブ部９０の本数に制限されない。また、リブ部９０を複数本設ける場合には、相隣り合うリブ部９０同士の間隔に制限されない。
【００５１】
図７は、リブ部の部分拡大破断面図であり、（ａ）は図６のＧ‐Ｇ破断面図、（ｂ）、（ｃ）及び（ｄ）は変形例の破断面図である。図７（ａ）に示すように、図６の包装容器１０１では、リブ部９０が本体前面板１２と反対側に隆起し、包装容器１０１を形成する板材をエンボス加工して形成している。リブ部９０は、蓋前面板２２を補強することができれば、これに限定されず、図７（ｂ）に示すように、リブ部９０が本体前面板１２側に隆起した形態とすることができる。また、リブ部９０は、図７（ａ）及び図７（ｂ）に示すように、包装容器１０１を形成する板材をエンボス加工して形成することが、構造を簡易にすることができる点及びコストの点でより好ましいが、蓋前面板２２を補強することができれば、これに限定されない。例えば、図７（ｃ）及び図７（ｄ）に示すように、リブ部９１を別部材とすることができる。別部材の材質は、例えば、紙、プラスチックである。また、図７（ｃ）のように、リブ部９１の断面形状を四角形とするか、図７（ｄ）のように、リブ部９１の断面形状を蒲鉾形とするか、又は他の断面形状とするかを問わない。リブ部９０の他形態としては、包装容器を形成する板材を、段状に折り目（ひだ）又は波目をつけた形態である。本他形態では、リブ部９０は、折り目又は波目の稜線である。リブ部９０の凸部の頂点と蓋エンボス部７０の底面との差は、０．１０〜０．８０ｍｍとすることが好ましい。より好ましくは、０．２０〜０．６０ｍｍである。０．１０ｍｍ未満では、リブ部９０を設ける効果が得られない場合がある。０．８０ｍｍを超えると、蓋体２０の開閉に支障をきたすおそれがある。また、エンボス加工する場合には、伸びに追従できず基材が割れたり、切れたりする場合がある。
【産業上の利用可能性】
【００５２】
本発明によれば、本発明に係る包装容器は、自己密着性を有するラップフィルムを所定の長さに引き出して切断した後、フィルム端の包装容器の内部への巻き戻しを安定的に防止することが可能であるため、例えば、食品、容器などの包装容器として使用されるラップフィルム、荷崩れ防止など梱包資材として使用されるラップフィルムの包装容器として好適である。
【符号の説明】
【００５３】
１  ラップフィルム
１０  容器本体
１１  本体底面板
１２  本体前面板
１３  本体後面板
１４  本体左側面板
１５  本体右側面板
１６  上面開口部
４０  フィルムロール
２０  蓋体
２１  天面板
２２  蓋前面板
２４  蓋左側面板
２５  蓋右側面板
３０  切断手段
５０  フィルム保持部
５１  自己密着性フィルム層
５２  接着剤層
５３  基材層
５４  粘着剤層
５６  印刷層
７０  蓋エンボス部
８０  滑り止め突起
９０，９１  リブ部
１００，１０１  包装容器
【図１】
2012081978.tif 000003
【図２】
2012081978.tif 000004
【図３】
2012081978.tif 000005
【図４】
2012081978.tif 000006
【図５】
2012081978.tif 000007
【図６】
2012081978.tif 000008
【図７】
2012081978.tif 000009